(57)【要約】【課題】見る人への訴求効果が高い内照式広告表示装置を得る。【解決手段】内照式広告表示装置１において、文字またはロゴ等の広告を膨出成形した半透明アクリル樹脂材料の表面シェル２と、表面シェル２の裏面全体を塞ぐパンチングメタルプレート３と、表面シェル２の内部空間でパンチングメタルプレート内面に取り付けた、例えば、ネオン管または蛍光灯等による発光体５と、前記パンチングメタルプレート３の外面に取り付け、広告表示装置を取付壁面から離して固定する取付ブラケット７とを具える。更に、好適には、表面シェル２の輪郭端縁およびパンチングメタルプレート３の輪郭端縁との間にスペーサフランジ８を設け、このスペーサフランジ８に補強細条９を張り渡し、この補強細条９に取付ブラケット７を連結する。【選択図】図１
2005266498.tif 000002
【特許請求の範囲】
【請求項１】
文字またはロゴ等の輪郭を有する箱体の内部に発光体を配置して広告を照明する内照式広告表示装置において、
文字またはロゴ等の広告を膨出成形した半透明アクリル樹脂材料の表面シェルと、
前記表面シェルの裏面全体を塞ぐパンチングメタルプレートと、
前記表面シェルの内部空間でパンチングメタルプレート内面に取り付けた発光体と、
パンチングメタルプレート外面に取り付けるブラケットであって、広告表示装置を取付壁面から離して固定する取付ブラケットとを具備したことを特徴とする内照式広告表示装置。
【請求項２】
前記発光体をネオン管により構成した請求項１または２記載の内照式広告表示装置。
【請求項３】
前記表面シェルの輪郭端縁およびパンチングメタルプレートの輪郭端縁との間にスペーサフランジを設け、このスペーサフランジに補強細条を張り渡し、この補強細条に取付ブラケットを連結する請求項１または２記載の内照式広告表示装置。
【発明の詳細な説明】
【技術分野】
【０００１】
本発明は、文字またはロゴ等の輪郭を有する箱体の内部に発光体を配置して広告を照明する内照式広告表示装置に関するものである。
【背景技術】
【０００２】
このような内照式広告表示装置としては、亜鉛引鉄板、又はステンレスで加工した箱文字内部にネオン管を入れ、更に、表側に樹脂プレート、例えば、平坦な乳白色半透明塩化ビニールプレートを上からフタをするように取り付けて前面照射する広告表示装置、または、やはり、亜鉛引鉄板、又はステンレスで加工した箱文字内部にネオン管を入れ、裏側を開放し、裏側の壁との間に隙間を設け、後方の壁に光を照射し、間接照明で輪郭のみを浮き出させる広告表示装置がある（例えば、非特許文献１参照）。
【非特許文献１】（株）電産企画、「きらめくネオンサイン」、［on line]、［平成１６年３月１日検索］、＜ＵＲＬ：http://www.event.to/ilumi/sign.htm＞
【発明の開示】
【発明が解決しようとする課題】
【０００３】
しかし、従来の前面照射の広告表示装置、または間接照明の広告表示装置では、光の照射による反射効果が余り顕著なものとはいえず、見る人への訴求効果が薄いきらいがある。また、パンチングメタルプレート（メタル板に多数の孔を穿設したもの）をこの広告表示装置の一部に採用したものも存在したが、パンチングメタルプレートを一部に用いただけに、装置自体の強度、光の反射効果による訴求力は限定されたものであった。更に、アクリル樹脂を使用した広告板の裏面にネオン管を配設したものも存在したが、単にネオン管を広告板の裏面に配設しただけであるため、裏面からの光反射効果は余り顕著なものであると言えなかった。
【０００４】
従って、本発明はパンチングメタルプレートを効果的に用い、見る人への広告宣伝効果の極めて高く、見る人への訴求効果が優れていると共に、強度、堅牢性にも優れた内照式広告表示装置を得ることにある。
【課題を解決するための手段】
【０００５】
この目的を達成するため、本発明は、文字またはロゴ等の広告を膨出成形した半透明アクリル樹脂材料の表面シェルと、前記表面シェルの裏面全体を塞ぐパンチングメタルプレートと、前記表面シェルの内部空間でパンチングメタルプレート内面に取り付けた発光体と、パンチングメタルプレート外面に取り付けるブラケットであって、広告表示装置を取付壁面から離して固定する取付ブラケットとを具備したことを特徴としている。
【発明の効果】
【０００６】
本発明によれば、表面シェルの膨出した立体的な文字またはロゴ等の広告を前面照射する明るく立体的視覚効果だけでなく、裏面のパンチングメタルプレートの多数の開口から漏れる光で取付壁面を照らし、照明された前面の広告表示の輪郭を、間接照明でぼんやりとした後光がさしたような広がりを持つ幻想的な演出による相乗効果により、インパクトのある表示体となる。また、パンチングメタルプレートはプレートに多数の孔を穿設した構成であるので、広告表示装置自体に強度と堅牢性を付与することが困難であったが、本発明によれば、表面シェルの裏面全面にパンチングメタルプレートを張着し、しかも、後述するように、パンチングメタルプレートの輪郭端縁に強度を付与するスペーサフランジを設け、これに補強細条を張着したので、従来にない広告表示装置に強度と堅牢性を付与することが可能となった。
【発明をを実施するための最良の形態】
【０００７】
本発明の好適な実施例においては、前記発光体に給電するため前記パンチングメタルプレートの外部に導出する電源コードを設ける。更に、本発明の好適な実施例においては、前記表面シェルの輪郭端縁およびパンチングメタルプレートの輪郭端縁との間にスペーサフランジを設け、このスペーサフランジに補強細条を張り渡し、この補強細条に取付ブラケットを連結する。
【０００８】
次に、図１及び図２図に基づき、本発明の好適な実施例を詳細に示す。
【実施例】
【０００９】
図１は、「Ｔ」というロゴ文字の内照式広告表示装置１の裏側から見た斜視図である。本発明による内照式広告表示装置１は、文字またはロゴ等の広告を膨出成形した半透明アクリル樹脂材料の表面シェル２と、この表面シェル２の裏面全体を塞ぐパンチングメタルプレート３と、表面シェル２の内部空間でクランプ部材４を介してパンチングメタルプレート３の内面に取り付けた発光体５とから構成されている。更に、発光体５に給電するための電源コード（図示省略）がパンチングメタルプレート３の外部に導出しており、電源と連結している電源コードの他端は発光体５に連結されている。
【００１０】
この発光体５は、ネオン管または蛍光灯または他の任意の発光体とすることができる。更に、７は取付ブラケットであり、この取付ブラケット７は２個のコ字状に形成したブラケット本体７Ａと、このブラケット本体７Ａを締着するボルト１１とナット１２とから構成されている。すなわち、ブラケット本体７Ａを相対向してコ字状の一片同士を重合させ、その重合面をボルト締めすることによって取付ブラケット７がパンチングメタルプレート３と壁面１０との間に所望の間隔を維持可能にする。即ち、前記ブラケット本体７Ａお重合面には、壁面１０、パンチングメタルプレート３とは直交方向に長孔７Ｂが形成されており、この長孔７Ｂの範囲内で取付ブラケット７と壁面１０乃至は取付面との距離が決定される。この距離は、表面シェル２と文字、ロゴ等の宣伝媒体の大小、宣伝訴求効果の大小や印象度等を考慮して適宜に決定される。
【００１１】
本発明の好適な実施例によれば、図２に図示されるように、８は表面シェル２の輪郭端縁およびパンチングメタルプレート３の輪郭端縁との間に設けたスペーサフランジである。更に、このスペーサフランジ８に補強細条９を張り渡し、この補強細条９の中央に取付ブラケット７を連結する。また、補強細条９には、発光体５をクランプするクランプ部材４も取り付けることができる。このように構成された本発明に係る広告表示装置によれば、多数の孔が穿設されたパンチングメタルプレート３は、発光体５からの光の照射を通し、独特の視覚効果を発揮することになるが、パンチングメタルプレート３は多数の孔が穿設されているので、広告表示装置としての強度、堅牢性に問題が出てくるが、本発明のように、補強線条９とスペーサフランジ８によってパンチングメタルプレート３は強固に保持されるので、従来、パンチングメタルプレートをこの種広告表示装置の一部に用いた装置に比較して、格段の強度が付与されると共に、発光体５の光照射の効果は大である。
【００１２】
本発明は上記のように構成したので、取付ブラケット７は内照式広告表示装置１を壁面から離して固定するため、裏面のパンチングメタルプレート３の多数の開孔から漏れる光で取付壁面を照らし、明るく照明された前面の立体的な広告表示の輪郭に対して、更に、間接照明でぼんやりとした後光がさしたような広がりを持つ幻想的な演出効果を有し、明るく立体的な視覚効果との相乗効果をもたらすことができる。                        
【００１３】
更に、本発明は前記した構成よりなるので、文字又はロゴ等の広告媒体を膨出形成した半透明アクリル樹脂材料によって、その表面シェル２は後部からの発光体５（本実施例では、ネオン管）からの発光を受けて、表面シェル２それ自体が光照射して従来のこの種広告表示装置にはない美麗にして訴求効果に優れ、見る人にとって極めて印象度の高い、光照射作用の大な利点を有する。
【産業上の利用可能性】
【００１４】
本発明は、広告および照明業界で利用することができ、更に、訴求力のある視覚効果で商業活動を活性化することができる。加えて、装置自体の強度と堅牢性は大であり、長期間の使用にも耐え、この種広告表示装置にとって最適なものを提供できる利点を有する。
【図面の簡単な説明】
【００１５】
【図１】本発明内照式広告表示装置の実施例を裏側から見た斜視図である。
【図２】図１の実施例の部分断面図である。
【図３】取付ブラケットの分解説明図である。
【符号の説明】
【００１６】
１    内照式広告表示装置
２    表面シェル
３    パンチングメタルプレート
４    クランプ部材
５    発光体
６    電源コード
７    取付ブラケット
７Ａ  ブラケット本体
７Ｂ  長孔
８    スペーサフランジ
９    補強細条
１０  壁面
１１  ボルト
１２  ナット
【図１】
2005266498.tif 000003
【図２】
2005266498.tif 000004
【図３】
2005266498.tif 000005